(57)【要約】【課題】温熱具が脊椎などに当たっても、脊椎に沿って柔軟に折れ曲がって身体の表面に密着することで、温熱を効果的に与えることができる温熱具を提供する。【解決手段】温熱具１は、発熱材料２と、発熱材料２を収容する本体部３とを備え、本体部３は、左右方向の中心に位置する第１領域３５Ａと、第１領域３Ａの左右に発熱材料２の移動を規制する規制ライン３３を介して配置された第２領域３５Ｂ及び第３領域３５Ｃとを少なくとも含み、第１領域３５Ａに収容される発熱材料２の充填率よりも、第２領域３５Ｂ及び第３領域３５Ｃに収容される発熱材料２の充填率方が大きい。【選択図】図１
2020081415.tif 000002
【特許請求の範囲】
【請求項１】
発熱材料と、
前記発熱材料を収容する本体部と、を備え、
前記本体部は、中央に位置する第１領域と、前記発熱材料の移動を規制する規制ラインを介して前記第１領域の左右に隣接して配置された第２領域及び第３領域とを少なくとも含み、
前記第１領域に収容される前記発熱材料の充填率は、前記第２領域及び前記第３領域に収容される前記発熱材料の充填率よりも低い、温熱具。
【請求項２】
前記第１領域に収容される前記発熱材料の充填率と、前記第２領域及び前記第３領域に収容される前記発熱材料の充填率との差が１０％以上である、請求項１に記載の温熱具。
【請求項３】
前記第２領域及び前記第３領域に収容される前記発熱材料の充填率が６０％以上９５％以下であり、前記第１領域に収容される前記発熱材料の充填率が５０％以上８５％以下である、請求項１又は２に記載の温熱具。
【請求項４】
前記第１領域の左右方向の長さが５ｃｍ以上２５ｃｍ以下である、請求項１〜３のいずれかに記載の温熱具。
【請求項５】
前記発熱材料を収容するとともに、前記本体部の下側に前記発熱材料の移動を規制する第２規制ラインを介して配置された裾部をさらに備え、
前記裾部の下縁は下側に向かって凸状に突き出ている、請求項１〜４のいずれかに記載の温熱具。
【請求項６】
前記本体部の左右の側縁からそれぞれ突き出た一対のベルト部をさらに備え、
一対の前記ベルト部の下縁は、前記裾部の下縁と滑らかに繋がっている、請求項１〜５のいずれかに記載の温熱具。
【請求項７】
前記発熱材料があずきである、請求項１〜６のいずれかに記載の温熱具。
【請求項８】
身体の首、肩又は腰に温熱を与えるための、請求項１〜７のいずれかに記載の温熱具の使用。
【請求項９】
請求項１〜８のいずれかに記載の温熱具を用いて身体の首、肩又は腰に温熱を与える、温熱具の使用方法。
【発明の詳細な説明】
【技術分野】
【０００１】
本発明は、身体に温熱を与えるために使用される温熱具に関する。
【背景技術】
【０００２】
温熱を発する温熱具を用いて身体の所定部位を温めることで、当該部位の凝りや痛みを和らげることが従来から行われている。この種の温熱具としては、首や肩に当てて使用されるものが多く提案されている（例えば特許文献１を参照）。
【０００３】
特許文献１の温熱具は、発熱材料を充填した「へ」の字型のパッド本体を肩に載せ、パッド本体の中央部を首の後側に当てて、両端部を首もとから肩方向に延ばして肩に載置することで、首の後側や肩に温熱を与えるものである。特許文献１の温熱具では、パッド本体が長手方向に５つの袋状部に区画されており、発熱材料がパッド本体の一端側（又は他端側）に片寄らないように構成されている。
【先行技術文献】
【特許文献】
【０００４】
【特許文献１】特開２００５−１３７４６５号公報
【発明の概要】
【発明が解決しようとする課題】
【０００５】
特許文献１の温熱具では、パッド本体の５つの袋状部に発熱材料が均一に高充填されている。ここで、特許文献１の温熱具で人の首の後側や肩（背中の上部）を覆った場合、中央の袋状部は脊椎を跨ぐように配置される。そのため、中央の袋状部に発熱材料が高充填されていると、中央の袋状部が大きく膨らむことから、脊椎に沿って柔軟に折れ曲がりにくいため、パッド本体は全体的に身体の表面に密着せず、端側の袋状部が身体の表面から浮いてしまうおそれがある。よって、温熱を効果的に与えることができないという課題がある。
【０００６】
本発明は上記課題を解決するためになされたものであり、温熱具が脊椎などに当たっても、脊椎に沿って柔軟に折れ曲がって身体の表面に密着することで、温熱を効果的に与えることができる温熱具を提供することを目的とする。
【課題を解決するための手段】
【０００７】
本発明の温熱具は、発熱材料と、前記発熱材料を収容する本体部と、備え、前記本体部は、中央に位置する第１領域と、前記発熱材料の移動を規制する規制ラインを介して前記第１領域の左右に隣接して配置された第２領域及び第３領域とを少なくとも含み、前記第１領域に収容される前記発熱材料の充填率は、前記第２領域及び前記第３領域に収容される前記発熱材料の充填率よりも低いことを特徴とする。
【０００８】
本発明の温熱具においては、前記第１領域に収容される前記発熱材料の充填率と、前記第２領域及び前記第３領域に収容される前記発熱材料の充填率との差が１０％以上であることが好ましい。
【０００９】
また、本発明の温熱具においては、前記第２領域及び前記第３領域に収容される前記発熱材料の充填率が６０％以上９５％以下であり、前記第１領域に収容される前記発熱材料の充填率が５０％以上８５％以下であることが好ましい。
【００１０】
また、本発明の温熱具においては、前記第１領域の左右方向の長さが５ｃｍ以上２５ｃｍ以下であることが好ましい。
【００１１】
また、本発明の温熱具においては、前記発熱材料を収容するとともに、前記本体部の下側に前記発熱材料の移動を規制する第２規制ラインを介して配置された裾部をさらに備え、前記裾部の下縁は下側に向かって凸状に突き出ていることが好ましい。
【００１２】
また、本発明の温熱具においては、前記本体部の左右の側縁からそれぞれ突き出た一対のベルト部をさらに備え、一対の前記ベルト部の下縁は、前記裾部の下縁と滑らかに繋がっていることが好ましい。
【００１３】
また、本発明の温熱具においては、前記発熱材料があずきであることが好ましい。
【００１４】
また、本発明は、身体の首、肩又は腰に温熱を与えるための、上述したいずれかの構成の温熱具の使用、及び、上述したいずれかの構成の温熱具を用いて身体の首、肩又は腰に温熱を与える、温熱具の使用方法を提供する。
【発明の効果】
【００１５】
本発明の温熱具によれば、本体部を人の首の後側、肩（背中の上部）、腰などに当てた場合、本体部の中央の第１領域が脊椎を跨ぐように配置されるが、第１領域における発熱材料の充填率が低いことで、第１領域は膨らみが小さくなるために容易に折れ曲がる。よって、第１領域が脊椎に沿って柔軟に折れ曲がることで、第１領域が身体の表面に密着し、これにより、第１領域の左右の第２領域及び第３領域も身体の表面に密着するので、身体の表面に温熱を効果的に与えることができる。
【００１６】
また、第２領域及び第３領域における発熱材料の充填率が高いことで、第２領域及び第３領域からより高い温熱を身体に与えることができる。そのため、本体部を人の肩（背中の上部）に当てた際には、肩の凝りや痛みの原因となる中部僧帽筋の中でも特に痛みなどのポイントとなる左右の端の部分（両肩の部分）により高い温熱を与えることができることから、肩の凝りや痛みを効果的に和らげることができる。
【００１７】
さらに、第２領域及び第３領域を身体に押し当てた際に、第２領域及び第３領域は発熱材料の充填率が高く膨らんでいるために、膨らんだ箇所が強く身体に押し付けられる。その際、第１領域が折れ曲がっていることで、第２領域及び第３領域の膨らんだ箇所は、身体を多少内向き（第１領域に向かう方向）に押圧する。そのため、身体の各部位のトリガーポイントを効果的に指圧することができる。なお、トリガーポイントとは、筋肉の痛みや凝りの原因とされている圧痛部位のことである。
【図面の簡単な説明】
【００１８】
【図１】本実施形態の温熱具の正面図である。
【図２】本実施形態の温熱具の平面図である。
【図３】本実施形態の温熱具の底面図である。
【図４】図１のＡ−Ａ部分を拡大して示す正面図である。
【図５】図１のＡ−Ａ部分を拡大して示すＢ−Ｂ断面図である。
【図６】図１のＣ−Ｃ断面図である。
【図７】本実施形態の温熱具を肩に使用した状態の背面図（上）及び斜視図（下）である。
【図８】本実施形態の温熱具を首に使用した状態の背面図（上）及び斜視図（下）である。
【図９】本実施形態の温熱具を腰に使用した状態の背面図（上）及び斜視図（下）である。
【発明を実施するための形態】
【００１９】
以下、本発明に係る温熱具の実施形態について図面を参照しつつ説明する。図１〜図６は、本実施形態の温熱具１を示す。温熱具１は、発熱材料２と、発熱材料２を収容する発熱部３と、発熱部３の左右の側縁から突き出ている一対のベルト部４とを備えている。温熱具１は、一対のベルト部４により発熱部３を人の首の後側、肩（背中の上部）、背中、腰などに巻き付ける又は押し当てることにより固定して使用するものであり、発熱部３に収容された発熱材料２から発生する温熱により身体の上記部位をじっくりと温めることで、疲れを癒したり、凝りをほぐしたり、リラックス効果を付与することを目的とするものである。
【００２０】
発熱材料２は、何らかの手段により熱を発生することによって身体に温熱を付与できるものであれば特に限定されるものではなく、例えば使い捨てのカイロなどに用いられているような空気との接触により発熱する発熱組成物や、電子レンジでマイクロ波の照射を受けることで発熱する材料（例えばフェライトなどのセラミック粉末）などを用いることもできるが、好ましくはあずきを用いることができる。なお、発熱材料として上記発熱組成物を袋体に封入したカイロの状態で発熱部３に収容してもよいし、発熱材料として電子レンジで加熱されるゲル化剤を袋体に封入したゲルパックの状態で発熱部３に収容してもよい。この場合、発熱材料２だけを使い捨てとし、新たなものと交換できるようにしてもよい。
【００２１】
あずきは、水分を多く含有しており、電子レンジなどで温めることで水分が蒸発して蒸気が発生し、この蒸気が有する熱により温熱を与える。あずきの蒸気による温熱は湿熱であり、湿気のない温熱（乾熱）に比べて体の奥まで届くため、温熱効果が効果的になる。そのうえ、あずきは、蒸発により内部の水分を失っても、失った水分を空気中から吸収するので、所定時間の経過後に再び電子レンジで温めるだけで繰り返し使うことができるため、経済的である。
【００２２】
温熱具１は、図１〜図６に示すように、左右方向の中心に位置する縦中央線を挟んで左右対称の形状を呈している。温熱具１は、２枚のシートを重ね合わせ、２枚のシートの外周縁同士を例えば縫い合わせるなどして接合することで袋状にするとともに、発熱部３の両側縁３２Ａ，３２Ｂに当たる位置で２枚のシートを例えば縫い合わせるなどして接合することで、発熱部３と一対のベルト部４とが一体的に形成されている。
【００２３】
上述した２枚のシートは、柔軟性を有していれば特に限定されるものではなく、例えば織布や不織布、編物などで構成でき、繊維素材も公知のものを選択することができ、例えば綿などの天然繊維；レーヨンなどの半合成繊維；ポリプロピレン、ポリエチレン、ポリエステルなどの合成繊維；及び各種繊維を混ぜた繊維を用いることができる。なお、使用者側のシートは発熱材料２の温熱を効果的に使用者の肌に伝達する点、肌触りの点などからポリエステルと綿とを混ぜた繊維が好ましく、肌触りの点で起毛していることがより好ましい。また、使用者と反対側のシートは発熱材料２の温熱を外部に逃がさずに保温する点でポリエステルが好ましい。
【００２４】
また、上述した２枚のシートの目付は、特に限定されるものではないが、いずれも目付が１００ｇ／ｍ２以上４００ｇ／ｍ２以下であることが好ましく、２４０ｇ／ｍ２以上２７０ｇ／ｍ２以下であることが特に好ましい。
【００２５】
発熱部３は、上縁３０が直線状に形成されていて、一対のベルト４の上縁４０と一直線となるように繋がっている。一方で、発熱部３の下縁３１は、一対のベルト部４の下縁４１よりも下側に向かって凸状に突き出ており、左右の端側が小さく中央側が大きく出っ張っている。また、下縁３１は、左右方向の中央に丸みの帯びた頂部を有するなだらかな略三角形状に形成されている。また、下縁３１は、全体的に波打つことなく（凹凸がなく）かつ滑らかに湾曲しており、一対のベルト部４の下縁４１と繋がる左右の端部分が上に凸の曲線状をなすとともに、中央部分が下に凸の曲線状をなしている。なお、下縁３１は必ずしも曲線のみで構成されている必要はなく、滑らかに接続されていれば、曲線と直線との組み合わせで構成されていてもよい。
【００２６】
発熱部３の下縁３１は、図７に示すように、発熱部３を使用者の肩（背中の上部）に当てた際に、肩の凝りや痛みの原因である中部僧帽筋を良好に覆うことができるように、上述した凸状に形成されている。中部僧帽筋は、僧帽筋の中でも背中の上部に広がる筋肉であり、頚椎の下位から肩の端（肩峰）に広がっている。また、中部僧帽筋は、胸椎の上位から肩甲骨の上の出っ張り（肩甲棘）に沿って肩の端（肩峰）に広がっており、その下部は逆三角形状を呈している。発熱部３の下縁３１は、この中部僧帽筋の下部の形状に合わせるために凸状に形成されている。
【００２７】
図１及び図４に示すように、発熱部３の両側縁３２Ａ，３２Ｂは、直線状に形成されているが、いずれも上縁３０に対して垂直ではなく斜めを向いており、上端が下端よりも内側（左側の側縁３２Ａでは右側、右側の側縁３２Ｂでは左側）に位置するように傾斜していて、互いに「ハ」の字をなしている。両側縁３２Ａ，３２Ｂの傾斜角度θは特に限定されるものではないが、５°以上６０°以下であることが好ましく、５°以上３０°以下であることが特に好ましい。なお、両側縁３２Ａ，３２Ｂは、必ずしも斜めを向いている必要はなく、例えば上縁３０と垂直に交わっていて、互いに平行であってもよい。
【００２８】
発熱部３の横幅（左右方向の長さ）は、特に限定されるものではないが、２０ｃｍ以上８０ｃｍ以下であることが好ましく、４０ｃｍ以上５０ｃｍ以下であることが特に好ましい。一方、発熱部３の縦幅（上下方向の長さ）は、特に限定されるものではないが、５ｃｍ以上３０ｃｍ以下であることが好ましく、１０ｃｍ以上２０ｃｍ以下であることが特に好ましい。
【００２９】
人の肩幅（背肩幅を意図しており、具体的には、左右の肩峰点の間の体表長のことを指す。）がおおよそ３０ｃｍ〜４０ｃｍであるため、発熱部３の横幅を上述した範囲にすることで、図７に示すように、発熱部３を使用者の肩（背中の上部）に当てた際に、肩の左端から右端まで覆うことができる。よって、肩の凝りや痛みの原因である中部僧帽筋に対して発熱部３により温熱を効果的に与えることができる。なお、図８や図９に示すように、発熱部３を使用者の首の後側や腰に当てた際にも、首回りや腰の左端から右端まで十分に覆うことができる。
【００３０】
また、人の首の長さ（第二頚椎骨から第七頚椎骨までの長さ）がおおよそ８ｃｍ〜１０ｃｍであり、腰の位置にあたる第十二肋骨から骨盤上部までの長さがおおよそ８ｃｍ〜１２ｃｍであるため、発熱部３の縦幅を上述した範囲にすることで、図８や図９に示すように、発熱部３を使用者の首の後側や腰に当てた際に、首や腰の上端から下端まで覆うことができるので、首の凝りや痛みの原因である僧帽筋上部及び頭板状筋や、腰の凝りや痛みの原因である腰部の脊柱起立筋に対して発熱部３により温熱を効果的に与えることができる。なお、図７に示すように、発熱部３を使用者の肩（背中の上部）に当てた際にも、中部僧帽筋を十分に覆うことができる。
【００３１】
図１及び図４に示すように、発熱部３には、両側縁３２Ａ，３２Ｂの下端同士を結ぶように、発熱材料２の移動を規制する規制ライン３３が上縁３０と平行に設けられている。規制ライン３３によって、発熱部３は、規制ライン３３より上側の本体部３５と、規制ライン３３より下側の裾部３６とに区画されている。つまり、本体部３５の下側に規制ライン３３を介して裾部３６が配置されており、発熱部３の下縁３１は裾部３６の下縁に当たる。
【００３２】
発熱部３の本体部３５には、発熱材料２の移動を規制する規制ライン３４（以下、「第２規制ライン」という。）が左右方向に間隔をあけて複数設けられており、これにより、本体部３５は、複数の領域に区画されている。本体部３５は、中央に位置する第１領域３５Ａと、第２規制ライン３４を介して第１領域３５Ａの左右に隣接して配置された第２領域３５Ｂ及び第３領域３５Ｃとを少なくとも含むように第２規制ライン３４が設けられている。本実施形態では、２本の第２規制ライン３４が縦中央線から左右方向に等距離に位置するように本体部３５に平行に設けられていて、第１領域３５Ａの左右方向の中央に縦中央線が位置している。
【００３３】
規制ライン３３及び第２規制ライン３４は、例えば発熱部３を構成する上述した２枚のシートを縫い合わせた縫い目で形成することができるが、接着などの他の方法を用いて２枚のシートを接合することで規制ライン３３及び第２規制ライン３４を形成してもよい。発熱部３内の発熱材料２は、発熱材料２自体の重みや使用時に適用する身体の部位の形状に応じて移動して、発熱部３のいずれかの部分に偏るおそれがある。しかし、規制ライン３３及び第２規制ライン３４により発熱材料２の移動を規制することで、発熱材料２が発熱部３のいずれかの部分に偏ることを防止して、発熱材料２を発熱部３内で均等に分散させることができる。
【００３４】
また、発熱部３に規制ライン３３及び第２規制ライン３４が設けられることにより、発熱材料２が充填された発熱部３は規制ライン３３及び第２規制ライン３４の位置において容易に折れ曲がる。よって、発熱部３が身体の表面形状に応じて変形して身体にフィットするので、発熱部３を身体の所定部位に密着させることができる。例えば図８に示すように、発熱部３を使用者の首の後側に当てた際には、本体部３５の中央の第１領域３５Ａが首の後ろに密着するとともに、左右の第２領域３５Ｂ及び第３領域３５Ｃが第１領域３５Ａに対して内側に折れ曲がって首の横側に密着するので、首回りに発熱材料２の温熱を効果的に与えることができる。そのうえ、裾部３６が首の下端の位置で本体部３５に対して外側に折れ曲がって首の付け根に密着するので、首の付け根に対しても発熱材料２の温熱を効果的に与えることができる。
【００３５】
本体部３５の各領域３５Ａ〜３５Ｃにそれぞれ発熱材料２が充填されるが、発熱材料２の充填率が第１領域３５Ａと、第２領域３５Ｂ及び第３領域３５Ｃとで異なる。具体的には、第１領域３５Ａの発熱材料２の充填率が、第２領域３５Ｂ及び第３領域３５Ｃの発熱材料２の充填率よりも低い。充填率は、領域３５Ａ〜３５Ｃごとに、領域３５Ａ〜３５Ｃに充填可能な最大の発熱材料２の重量Ｍ［ｇ］に対して領域３５Ａ〜３５Ｃに実際に充填される発熱材料２の重量ｍ［ｇ］の割合（ｍ×１００）／Ｍ［％］により算出される。
【００３６】
本体部３５の中央の第１領域３５Ａにおける発熱材料２の充填率が低いことで、第１領域３５Ａは膨らみが小さくなるために容易に折れ曲がる。図７〜図９に示すように、発熱部３を使用者の肩（背中の上部）、首の後側、腰などに当てた際には、本体部３５の中央の第１領域３５Ａが脊椎を跨ぐように配置されるが、第１領域３５Ａが脊椎に沿って柔軟に折れ曲がることで、第１領域３５Ａが身体の表面に密着し、これにより、第１領域３５Ａの左右の第２領域３５Ｂ及び第３領域３５Ｃも身体の表面に密着する。よって、身体の表面に温熱を効果的に与えることができるうえ、第２領域３５Ｂ及び第３領域３５Ｃにおける発熱材料２の充填率が高いことで、第２領域３５Ｂ及び第３領域３５Ｃからより高い温熱を身体に与えることができる。特に、図７に示すように、発熱部３を使用者の肩（背中の上部）に当てた際に、中部僧帽筋の中でも肩の凝りや痛みのポイントとなる左右の端の部分（両肩の部分）により高い温熱を与えることができるので、肩の凝りや痛みを効果的に和らげることができる。
【００３７】
第１領域３５Ａの発熱材料２の充填率と、第２領域３５Ｂ及び第３領域３５Ｃの発熱材料２の充填率との差は、特に限定されるものではないが、１０％以上であることが好ましい。充填率の差が１０％を下回ると、第１領域３５Ａと第２領域３５Ｂ及び第３領域３５Ｃとで充填率の差がさほど感じられず、一対のベルト部４を引っ張って使用した際の指圧された心地よさや温熱効果を良好に感じることができなくなるおそれがあるからである。
【００３８】
第１領域３５Ａの発熱材料２の充填率としては、特に限定されるものではないが、５０％以上８５％以下であることが好ましく、５０％以上８０％以下であることがより好ましく、５０％以上６８％以下であることが特に好ましい。充填率が５０％を下回ると、第１領域３５Ａが自立せずにひしゃげてしまい、身体へのフィット感が悪くなるおそれがあり、充填率が上述した範囲内にあることで、第１領域３５Ａから十分な温熱を身体に与えることができるとともに、第１領域３５Ａを脊椎に沿って良好に折り曲げることができる。
【００３９】
第２領域３５Ｂ及び第３領域３５Ｃの発熱材料２の充填率としては、特に限定されるものではないが、６０％以上９５％以下であることが好ましく、６５％以上９５％以下であることがより好ましく、７０％以上９５％以下であることが特に好ましい。充填率が上述した範囲内にあることで、第２領域３５Ｂ及び第３領域３５Ｃから十分な温熱を身体に与えることができる。また、発熱材料２が充填されると、第２領域３５Ｂ及び第３領域３５Ｃは左右方向の中央部分が厚く、中央部分から両側の規制ライン３３及び発熱部３の側縁３２Ａ，３２Ｂに向かって厚さが漸減するよう膨らむが、充填率が９５％を上回ると、第２領域３５Ｂ及び第３領域３５Ｃが大きく膨み、両側部分が身体の表面に接触せずに浮いてしまうおそれがあるが、充填率が上述した範囲内にあることで、第２領域３５Ｂ及び第３領域３５Ｃの両側部分が身体の表面に接触して第２領域３５Ｂ及び第３領域３５Ｃが良好に密着するので、身体に温熱を効果的に与えることができる。
【００４０】
なお、裾部３６の発熱材料２の充填率としては、特に限定されるものではないが、本体部３５の第１領域３５Ａと同程度の充填率とすることが好ましい。裾部３６の充填率が第１領域３５Ａの充填率と同程度であることで、裾部３６から十分な温熱を身体に与えることができるとともに、裾部３６を脊椎に沿って良好に折り曲げることができる。
【００４１】
発熱材料２の充填量は、特に限定されるものではないが、発熱材料２にあずきを使用した場合、全体で４３０ｇ〜４５０ｇ程度であって、例えば４４０ｇが本体部３５の各領域３５Ａ〜３５Ｃ及び裾部３６に充填される。本体部３５の各領域３５Ａ〜３５Ｃ及び裾部３６の発熱材料２の充填率（充填量）は、特に限定されるものではないが、例えば第１領域３５Ａが約６８％（約１４０ｇ）、第２領域３５Ｂ及び第３領域３５Ｃが約８５％（約１００ｇ）、裾部３６が約６８％（約１００ｇ）とすることができる。
【００４２】
第２領域３５Ｂ及び第３領域３５Ｃの間隔、つまりは、第１領域３５Ａの左右方向の長さ（横幅）は、特に限定されるものではないが、３ｃｍ以上２８ｃｍ以下であることが好ましく、５ｃｍ以上２５ｃｍ以下であることがより好ましい。第２領域３５Ｂ及び第３領域３５Ｃの間隔が広すぎると（第１領域３５Ａの左右方向の長さ（横幅）が大きすぎると）、図７に示すように、発熱部３を使用者の肩（背中の上部）に当てた際に、中部僧帽筋の左右の端の部分（両肩の部分）を第２領域３５Ｂ及び第３領域３５Ｃにより広範囲で覆うことができなくなる一方で、第２領域３５Ｂ及び第３領域３５Ｃの間隔が狭すぎると（第１領域３５Ａの左右方向の長さ（横幅）が小さすぎると）、第１領域３５Ａに脊椎が当たっても第１領域３５Ａが脊椎に沿って柔軟に折れ曲がりにくくなるからである。
【００４３】
図１〜図４に示すように、一対のベルト部４は、発熱部３の両側縁３２Ａ，３２Ｂからそれぞれ左右方向に反対向きに延びている。一対のベルト部４は、縦幅（上下方向の長さ）よりも横幅（左右方向の長さ）が大きい帯状を呈している。一対のベルト部４の上縁４０は、直線状に形成されていて、発熱部３の上縁３０と一直線となるように繋がっている。一対のベルト部４の下縁４１も直線状に形成されているが、上縁４０に対して平行ではなく斜めを向いており、先端（左側の側縁３２Ａでは左端、右側の側縁３２Ｂでは右端）が基端よりも上側に位置するように傾斜している。これにより、一対のベルト部４は、先端に向かうに連れて縦幅（上下方向の長さ）が小さくなる先細り形状に形成されている。なお、一対のベルト部４は、少なくとも先端側の部分において、下縁４１が傾斜することで上述した先細り形状となっていて、基端側の部分は下縁４１が上縁４０と平行であってもよい。
【００４４】
一対のベルト部４の下縁４１は、発熱部３の下縁３１と滑らかに繋がっている。本明細書において、「滑らか」とは、角（明確に折れ曲がる屈曲点）を有していないことを意味しており、本実施形態では、直線状の下縁４１と、曲線状の下縁３１とが角を有さずに繋がっていることを指す。具体的には、直線状の下縁４１が、曲線状の下縁３１との接続部分Ｔ（発熱部３の両側縁３２Ａ，３２Ｂの下端）において、曲線状の下縁３１の接線方向に延びる（直線状の下縁４１の方向と曲線状の下縁３１の接線方向とが同一となる）ようにして、曲線状の下縁３１と接続されている。
【００４５】
なお、本実施形態では、一対のベルト部４の下縁４１と発熱部３の下縁３１との接続部分Ｔにおいて、ベルト部４の下縁４１は直線状であり、発熱部３の下縁３１は曲線状であるが、ベルト部４の下縁４１が曲線状であり、発熱部３の下縁３１が直線状であって、接続部分Ｔにおいて滑らかに接続されていてもよいし、ベルト部４の下縁４１及び発熱部３の下縁３１がともに曲線状であって、両曲線が接続部分Ｔにおいて接線の方向が同一となるようにして滑らかに接続されていてもよい。
【００４６】
一対のベルト部４の縦幅（上下方向の長さ）は、特に限定されるものではないが、一対のベルト部４は使用時の持ち手となり、使用者が持ちやすいとの観点からは、先端における縦幅が１ｃｍ以上２０ｃｍ以下であることが好ましく、４ｃｍ以上６ｃｍ以下であることが特に好ましく、基端における縦幅は１ｃｍ以上２０ｃｍ以下であることが好ましく、８ｃｍ以上１０ｃｍ以下であることが特に好ましい。
【００４７】
また、一対のベルト部４の横幅（左右方向の長さ）は、特に限定されるものではないが、温熱具１を図９に示すように腰に巻きつけたり、図示は省略するが背中にたすき掛けで巻き付けたりした場合に一対のベルト部４の先端部を互いに余裕をもって結ぶことができるとの観点から、一方のベルト部４の先端から発熱部３を横断して他方のベルト部４の先端までの長さとして５０ｃｍ以上２５０ｃｍ以下であることが好ましく、１３５ｃｍ以上１４０ｃｍ以下であることが特に好ましい。
【００４８】
上述した本実施形態の温熱具１によると、人の肩（背中の上部）、首の後側、腰、背中など、身体の複数の部位に一対のベルト部４を用いて発熱部３を宛がって固定することで、当該部位に温熱を与えることができる。
【００４９】
例えば図７に示すように、使用者は、発熱部３を肩（背中の上部）に当てた状態で両手を用いて一対のベルト部４を左右に引っ張った後、一対のベルト部４を身体の横から前方に引っ張ることで、発熱部３を肩（背中の上部）に押し当てて固定する。これにより、発熱部３に収容された発熱材料２から発生する温熱により肩（背中の上部）の筋肉をじっくりと温めることできる。
【００５０】
また、図８や図９に示すように、使用者は、発熱部３を首の後側や腰に当てた状態で両手を用いて一対のベルト部４を左右に引っ張った後、一対のベルト部４を身体の前で互いに結ぶことで、発熱部３を首や腰に巻き付けて固定する。これにより、発熱部３に収容された発熱材料２から発生する温熱により首や腰の筋肉をじっくりと温めることできる。
【００５１】
また、図示は省略するが、使用者は、発熱部３を斜めにして背中に当てた状態で両手を用いて一対のベルト部４を左右に引っ張った後、一対のベルト部４を身体の前で互いに結ぶことで、発熱部３を背中にたすき掛けで巻き付けて固定する。これにより、発熱部３に収容された発熱材料２から発生する温熱により背中の筋肉をじっくりと温めることできる。
【００５２】
ここで、温熱具１の本体部３５を、人の肩（背中の上部）、首の後側、腰などに当てた場合、本体部３５の中央の第１領域３５Ａは脊椎を跨ぐように配置される。そのため、第１領域３５Ａに発熱材料２が高充填されていると、第１領域３５Ａが大きく膨らむことから、脊椎に沿って柔軟に折れ曲がりにくいため、本体部３５が全体的に身体の表面に密着せず、端の第２領域３５Ｂ及び第３領域３５Ｃが身体の表面から浮いてしまうおそれがある。これに対して、本実施形態の温熱具１によれば、本体部３５の中央の第１領域３５Ａにおける発熱材料２の充填率が低いことで、第１領域３５Ａは膨らみが小さくなるために容易に折れ曲がる。よって、第１領域３５Ａが脊椎に沿って柔軟に折れ曲がることで、第１領域３５Ａが身体の表面に密着し、これにより、第１領域３５Ａの左右の第２領域３５Ｂ及び第３領域３５Ｃも身体の表面に密着するので、身体の表面に温熱を効果的に与えることができる。そのうえ、第２領域３５Ｂ及び第３領域３５Ｃにおける発熱材料２の充填率が高いことで、第２領域３５Ｂ及び第３領域３５Ｃからより高い温熱を身体に与えることができ、図７に示すように、発熱部３を使用者の肩（背中の上部）に当てた際には、肩の凝りや痛みの原因となる中部僧帽筋の中でも特に痛みなどのポイントとなる左右の端の部分（両肩の部分）により高い温熱を与えることができることから、肩の凝りや痛みを効果的に和らげることができる。
【００５３】
また、本実施形態の温熱具１によれば、一対のベルト部４を左右に引っ張って発熱部３を身体の所定部位に固定することで、発熱部３の一対のベルト部４の間の本体部３５は身体の表面に強く押し付けられて密着する。さらに、発熱部３の裾部３６は、規制ライン３３により本体部３５と区画されていることで身体の表面側に折れ曲がりやすくなっていることに加えて、発熱部３の下縁３１が一対のベルト部４の下縁４１と滑らかに繋がれているので、一対のベルト部４を左右に引っ張った際にこの引っ張り力により発熱部３の下縁３１が良好に身体に押し付けられて、身体の表面から浮かずに接触しやすくなる。よって、発熱部３の裾部３６が身体の表面に良好に密着する。このように、発熱部３の全体が身体に良好に密着するので、温熱具１を首の後側、肩（背中の上部）、腰、背中などに当てて使用した際に、当該部位を広範囲に温めることができ、当該部位の凝りや痛みの原因である筋肉に効果的に温熱を与えることができる。特に図７に示すように、温熱具１を肩（背中の上部）に当てて使用した際には、発熱部３の下縁３１が下側に向かって凸状に突き出ていることから、中部僧帽筋に対して、中部僧帽筋の下部まで効果的に温熱を与えることができる。
【００５４】
また、本実施形態の温熱具１によれば、本体部３５の第２領域３５Ｂ及び第３領域３５Ｃを身体に押し当てた際に、第２領域３５Ｂ及び第３領域３５Ｃは発熱材料２の充填率が高く膨らんでいるために、膨らんだ箇所が強く身体に押し付けられる。その際、第１領域３５Ａが折れ曲がっていることで、第２領域３５Ｂ及び第３領域３５Ｃの膨らんだ箇所は、身体を多少内向き（第１領域３５Ａに向かう方向）に押圧する。そのため、身体の各部位のトリガーポイントを効果的に指圧することができる。なお、トリガーポイントとは、筋肉の痛みや凝りの原因とされている圧痛部位のことである。
【００５５】
また、本実施形態の温熱具１によれば、一対のベルト部４の縦幅（上下方向の長さ）を発熱部３の縦幅よりも小さくしても、発熱部３の全体を身体に良好に密着させることができ、女性でも一対のベルト部４を容易に掴んで使用することができる。さらに、一対のベルト部４の少なくとも先端側の部分について先端に向かうに連れて縦幅が小さくなるように形成することで、一対のベルト部４をより容易に掴むことが可能となる。
【００５６】
また、本実施形態の温熱具１によれば、発熱部３の両側縁３２Ａ，３２Ｂは、上端が下端よりも内側に位置するように傾斜しているので、図８に示すように、温熱具１を首に巻いた際に、発熱部３の両側縁３２Ａ，３２Ｂの上端が内側に折れ曲がって首の表面から浮くことなく接触する。よって、発熱部３の本体部３５の左右の第２領域３５Ｂ及び第３領域３５Ｃを首の横側に良好に密着させることができる。
【００５７】
また、本実施形態の温熱具１によれば、発熱部３の上縁３１と一対のベルト部４の上縁４０とが一直線となるように繋がれているので、図８に示すように、温熱具１を首に巻いた際に一対のベルト部４が顔などに対して邪魔にならない。
【００５８】
また、本実施形態の温熱具１によれば、発熱部３に規制ライン３３及び第２規制ライン３４が設けられているので、発熱部３内で発熱材料２が偏ることを防止することができる。また、発熱部３の本体部３５は、第２規制ライン３４により容易に折れ曲がり、身体の表面形状に応じて変形してフィットする。よって、発熱部３の本体部３５を例えば図８に示すような首などの身体の所定部位に対して良好に密着させることができる。
【００５９】
以上、本発明の実施形態について説明したが、本発明は上記実施形態に限定されるものではなく、本発明の趣旨を逸脱しない限りにおいて種々の変更が可能である。
【００６０】
例えば、上記実施形態の温熱具１では、発熱部３（裾部３６）の下縁３１が略三角形状に形成されているが、下縁３１は、下側に向かって凸状に突き出ていればよく、例えば角部が丸みを帯びた略台形状などに形成されていてもよい。
【００６１】
また、上記実施形態の温熱具１では、一対のベルト部４の下縁４１は、発熱部３（裾部３６）の下縁３１と滑らかに繋がっているが、必ずしも滑らかに繋がっている必要はない。
【００６２】
また、上記実施形態の温熱具１では、発熱部３は本体部３５と裾部３６とを備えているが、裾部３６を必ずしも備えている必要はなく、本体部３５のみで構成されていてもよい。
【００６３】
また、上記実施形態の温熱具１では、発熱部３の本体部３５は３つの領域３５Ａ〜３５Ｃにより構成されているが、さらにその他の領域を第２領域３５Ｂの左側及び第３領域３５Ｃの右側に隣接して設けられていてもよい。
【００６４】
また、上記実施形態の温熱具１では、発熱部３の左右の側縁３２Ａ，３２Ｂが斜めを向いているが、左右の側縁３２Ａ，３２Ｂは、上縁３０と垂直に交わっていて、互いに平行であってもよい。
【００６５】
また、上記実施形態の温熱具１では、一対のベルト部４の上縁４０は、発熱部３の上縁３０と一直線となるように繋がっているが、必ずしも一直線に繋がっている必要はない。
【００６６】
また、上記実施形態の温熱具１では、一対のベルト部４の少なくとも先端側の部分について先端に向かうに連れて縦幅が小さくなるように形成されているが、先端から基端まで一対のベルト部４の縦幅は一定であってもよい。
【００６７】
また、上記実施形態の温熱具１では、発熱部３及び一対のベルト部４が一体的に形成されているが、それぞれを別体とし、発熱部３の両側縁３２Ａ，３２Ｂに一対のベルト部４の一方の側縁を例えば縫い合わせるなどして互いを連結してもよい。
【００６８】
また、上記実施形態の温熱具１では、一対のベルト部４を備えているが、一対のベルト部４を必ずしも備えている必要はなく、発熱部３のみで構成されていてもよい。
【実施例】
【００６９】
以下、実施例を挙げて本発明を説明するが、本発明は以下の実施例に限定されるものではない。
【００７０】
首、肩、背中、腰に痛みや凝りを自覚している被験者を対象として、図１に示す形状を備える温熱具を、４つの各部位にそれぞれ巻き付けて２０分間使用してもらい、使用後の痛みや凝りに対する緩和効果を評価した。発熱部の本体部における、低充填領域をなす第１領域の発熱材料の充填率（表１では低充填率）、及び、高充填領域をなす第２領域及び第３領域の発熱材料の充填率（表１では高充填率）の組み合わせは以下の表１に示す通りである。発熱材料としてはあずきを使用した。なお、発熱部の裾部における発熱材料の充填率は６８％であり、使用した発熱材料は全体で４４０ｇであり、第１領域の左右方向の長さ（第２領域及び第３領域の間隔）は１４．５ｃｍである。
【００７１】
各例の温熱具の評価は、「痛みや凝りが全ての部位において特に緩和された」と判断された場合を「Ａ」、「痛みや凝りが全ての部位において緩和された」と判断された場合を「Ｂ」、「温熱刺激を感じるが、痛みや凝りの緩和効果がいずれかの部位において大きくは得られなかった」と判断された場合を「Ｃ」、「温熱刺激を感じるが、痛みや凝りの緩和効果が大きくは得られなかった」と判断された場合を「Ｄ」、「温熱刺激を感じるが、痛みや凝りの緩和効果は得られなかった」と判断された場合を「Ｅ」、とそれぞれ評価した。その評価結果を以下の表１に示す。
【００７２】
【表１】
2020081415.tif 000003
【００７３】
表１の結果から、低充填領域である第１領域の発熱材料の充填率と、高充填領域である第２領域及び第３領域の発熱材料の充填率との差は１０％以上が好ましいことが分かる。また、そのうえで、第１領域の発熱材料の充填率は５０％以上８５％以下であり、かつ、第２領域及び第３領域の発熱材料の充填率は６０％以上９５％以下であることが好ましく、その中でも、第１領域の発熱材料の充填率は５０％以上８０％以下であり、かつ、第２領域及び第３領域の発熱材料の充填率は６５％以上９５％以下であることがより好ましく、その中でも、第１領域の発熱材料の充填率は５０％以上６８％以下であり、かつ、第２領域及び第３領域の発熱材料の充填率は７０％以上９５％以下であることがさらに好ましいことが分かる。
【符号の説明】
【００７４】
１    温熱具
２    発熱材料
３    発熱部
４    ベルト部
３０  発熱部の上縁
３１  発熱部の下縁
３２Ａ  発熱部の左側縁
３２Ｂ  発熱部の右側縁
３３  規制ライン
３４  第２規制ライン
３５  本体部
３５Ａ  第１領域
３５Ｂ  第２領域
３５Ｃ  第３領域
３６  裾部
４０  ベルト部の上縁
４１  ベルト部の下縁
【図１】
2020081415.tif 000004
【図２】
2020081415.tif 000005
【図３】
2020081415.tif 000006
【図４】
2020081415.tif 000007
【図５】
2020081415.tif 000008
【図６】
2020081415.tif 000009
【図７】
2020081415.tif 000010
【図８】
2020081415.tif 000011
【図９】
2020081415.tif 000012